(57)【要約】【課題】同一のチャンネルで放送される複数の番組から一つの番組を視聴できるように、送信機を制御する手段を提案する。【解決手段】１以上の正数ｎとした場合に、ｎ個の番組に対応し全て同一周波数で放送するｎ個の送信アンテナ部と、前記ｎ個の番組から１個の番組を選択する番組選択部と、前記番組選択部が選択した番組に対応する送信アンテナのみを有効にして当該送信アンテナ以外を無効にする出力制御部と、から成り、前記番組選択部は運営者からの指示と視聴者からの指示を受信する経路を有することを特徴とする放送切替装置。【選択図】図１
2012165307.tif 000002
【特許請求の範囲】
【請求項１】
１以上の整数ｎとした場合に、
ｎ個の番組に対応し全て同一周波数で放送するｎ個の送信アンテナ部と、
前記ｎ個の番組から１個の番組を選択する番組選択部と、
前記番組選択部が選択した番組に対応する送信アンテナのみを有効にして当該送信アンテナ以外を無効にする出力制御部と、
から成り、
前記番組選択部は運営者からの指示と視聴者からの指示を受信する経路を有することを特徴とする放送切替装置。
【請求項２】
請求項１に記載の番組選択部は、
運営者あるいは視聴者からの指示数を番組毎に集計し、最も指示数の多い番組を選択結果とすることを特徴とする放送切替装置。
【請求項３】
請求項１乃至請求項２のいずれか一項に記載の番組選択部は、
運営者からの指示を選択結果とする強制選択手段を有することを特徴とする放送切替装置。
【発明の詳細な説明】
【技術分野】
【０００１】
本発明は、送信装置に関するものであり、特に、単チャンネルにて複数の放送サービスを提供する送信装置に関するものである。
【背景技術】
【０００２】
一般に地上デジタルテレビジョン放送など複数の放送局から番組を放送する放送形態においては、各放送局がそれぞれ送信する電波の干渉を避けるため、隣接する放送局間で異なる周波数帯域を使用してサービスを提供している。
【０００３】
つまり、放送局ごとに異なる周波数を使用するため、複数の放送局からの異なる電波が存在する場所においても、端末側で特定の周波数にチューニングすることにより、該当する周波数の放送を視聴することができる。従って、各放送局は、地域限定の番組など、その放送が提供される地域に特化した内容の番組を放送することができる。
【０００４】
また、広域向け放送を行いながら、必要に応じて、例えば一部の時間帯に特定の地方に向けた狭域放送を挿む形態の放送は、頻繁に行われている。例えば、ニュース番組において、最初は広域向け放送により例えば全国向けのニュースを放送し、途中から狭域向け放送により当該地域に特化したニュースを放送することができる。同様に、最初に広域向け放送により広域な天気予報を放送し、途中から狭域向け放送により当該地域に特化した天気予報を放送したりすることもできる。
【０００５】
ただし、前記のように複数の内容の放送を同時刻に配信する場合であっても、その実体は複数の周波数を用いるものであり、テレビジョンの各チャンネルに設定された受信周波数が利用者の地域毎に異なるために、当該地域向けの放送を実現することが可能なのである。
【０００６】
一方、単一周波数帯域での広域放送と狭域放送を同時に実現するシステムとして「ＭｅｄｉａＦＬＯ」（登録商標）が提案されている。当該ＭｅｄｉａＦＬＯとは、携帯端末向け多チャンネル放送サービスであり、移動体環境に適した技術によって、映像や音楽を配信するものである。
【０００７】
ＭｅｄｉａＦＬＯでは時間領域、あるいは周波数領域を細かく分割したサービスの割り当てが行われており、必要なＭＬＣ（Ｍｕｌｔｉｃａｓｔ  Ｌｏｇｉｃａｌ  Ｃｈａｎｎｅｌ）のみを選択的にデコードすることによって、放送受信端末の受信部の省電力化を図りつつ放送番組を選択することができる。
【０００８】
特許文献１では、前記のように時間領域に分割して送信された複数の放送に関して、チャンネルフリッピング（Ｃｈａｎｎｅｌ  Ｆｌｉｐｐｉｎｇ）と呼ばれる、端末操作によって複数の番組を渡り歩いて受信する際に問題となる、番組切替時の遅延を減少させる方法が述べられている。
【先行技術文献】
【特許文献】
【０００９】
【特許文献１】特開２０１０−２３２８９４号公報
【発明の概要】
【発明が解決しようとする課題】
【００１０】
しかるに前記のような従来手法において、複数の地域を対象としたニュースや天気予報の受信に関しては、利用者が選択するのではなく、あくまでもテレビジョンを初期設定し記憶された周波数で放送を受信するものであるし、ＭｅｄｉａＦＬＯに関しては、これを受信するための専用の端末と専用のアプリケーションが必要になるという欠点がある。
【００１１】
本発明ではこのような欠点を鑑みて、携帯受信端末を含めた従来の一般的なテレビジョン受像器で放送を受信することを想定したものであり、同一のチャンネルで放送される複数の番組から一つの番組を視聴できるように、送信機を制御する手段を提案するものである。
【課題を解決するための手段】
【００１２】
前記課題を解決するために本発明は次のような手段をとる。つまり、
１以上の整数ｎとした場合に、
ｎ個の番組に対応し全て同一周波数で放送するｎ個の送信アンテナ部と、
前記ｎ個の番組から１個の番組を選択する番組選択部と、
前記番組選択部が選択した番組に対応する送信アンテナのみを有効にして当該送信アンテナ以外を無効にする出力制御部と、
から成り、
前記番組選択部は運営者からの指示と視聴者からの指示を受信する経路を有することを特徴とする放送切替装置である。
【００１３】
また本発明において、番組選択部は、
運営者あるいは視聴者からの指示数を番組毎に集計し、最も指示数の多い番組を選択結果とすることを特徴とする放送切替装置である。
【００１４】
また本発明において、番組選択部は、
運営者からの指示を選択結果とする強制選択手段を有することを特徴とする放送切替装置である。
【発明の効果】
【００１５】
前記手段によれば、一つの放送局から複数の番組を放送エリアに伝送し、運営者や視聴者の希望に沿いつつ、簡易な制御によって当該複数の番組の中から放送電波を送信すべき番組を選択できる。しかも本手段によれば、実際に放送する番組は１つの周波数を用いた１つの番組であるから、電波の干渉を防ぐことができる。
【図面の簡単な説明】
【００１６】
【図１】本発明にかかる放送システムである。
【図２】送信アンテナのオン・オフを示した模式図である。
【図３】放送装置のその周辺装置である。
【図４】送信アンテナのオン・オフを行うタイミングを示した図である。
【図５】処理フローチャートである。
【発明を実施するための形態】
【実施例】
【００１７】
本発明の好適な実施の形態について、図を参照して説明する。図１はデジタル放送の送信側と受信側を示したブロック図である。
【００１８】
運営者１０１は番組制御装置１０３を操作し、放送すべきコンテンツを送信網１０５を介して放送装置１０７に送信する。ここで送信網１０５は電波による無線伝送やインターネットもしくは専用回線による有線伝送であってもよく、本発明ではこれを限定しない。
【００１９】
放送装置１０７は、番組制御装置１０３が送信した放送信号を受信するための受信部１０９と、視聴者に放送波を送信するアンテナ１１５を制御する出力制御部１１１を有する。当該出力制御部１１１の動作には運営者１０１及び視聴者１１９が関与することが可能である。
【００２０】
アンテナ１１３から送信された放送波は、視聴者１１７が操作する視聴者受信端末１１５において受信され、当該視聴者１１７はデジタル放送を視聴者受信端末１１５の表示装置によって閲覧することができる。
【００２１】
図２は本発明の概念図である。デジタル放送を提供しようとする任意のエリアにおいて、放送波の送信アンテナＡ２０５とＢ２０７を設置する。ある時刻において送信アンテナＡ２０５が送信スイッチオン、Ｂ２０７が送信スイッチオフであった場合、視聴可能エリア２０１においては、送信アンテナＡ２０５が送信する番組を視聴者が受信端末１１５を用いて閲覧することが可能になる。
【００２２】
本発明は、このように、運営者１０１が同時刻に複数の番組を提供し、運営者１０１あるいは視聴者１１７の要望により出力制御部１１１が送信アンテナを切替制御することによって、放送波が混信することなく、視聴者が一つの番組を閲覧できる手段に関するものである。
【００２３】
なお、どのような番組を放送可能であるのかという情報は、デジタル放送におけるデータ放送として文字情報で視聴者に知らせる方法や、狭域エリア放送であれば、表示板の設置や、あるいは、受信機に専用アプリケーションをインストールして、該アプリケーションが放送装置１０７あるいは番組制御装置１０３と通信することによって取得し表示する方法など、種々のものが考えられる。
【００２４】
図３は図１のブロック図における本発明にかかる部分のみを示したものである。送信アンテナ２０５と２０７はそれぞれ違う放送コンテンツを送信するためのものであり、放送波が混信しないように一方をオフにする処理を出力制御部１１１が行う。
【００２５】
そして、出力制御部１１１が送信アンテナ２０５や２０７をオン・オフするための指針は、運営者１０１や視聴者１１７の指示によるものである。なお、本実施例では送信アンテナを２個として説明しているが、３個以上であっても同様であり、本発明は送信アンテナの個数、あるいは同時放送コンテンツの個数を限定しない。
【００２６】
図４は、あるエリアで番組ａを放送するための送信アンテナＡと、番組ｂを放送するための送信アンテナＢの２個の送信アンテナを設置し、リクエストによって、いずれをオンにし、いずれをオフにするのかを決定するタイミングチャートの一例である。なお、ここでは運営者と視聴者の重み付け配分を事前に１対１と決めており、運営者の１票と視聴者の１票は同じ価値があるとしている。
【００２７】
まず、運営者がａを放送したいと希望しａをリクエストした結果、送信アンテナはＡがオンに、そしてＢがオフになり、当該エリアにおいては送信アンテナＡによって番組ａを放送する。その後、当該エリアの視聴者２名が番組ｂをリクエストした時点でリクエスト総数はａが１名、ｂが２名となるため、送信アンテナはＡがオフに、そしてＢがオンになり、送信アンテナＢによって番組ｂを放送する。
【００２８】
さらにｂへのリクエストが１件あり、その後、当該エリアの視聴者３名が番組ａをリクエストした時点でリクエスト総数はａが４名、ｂが３名となるため、送信アンテナはＡがオンに、そしてＢがオフになり、送信アンテナＡによって番組ａを放送する。
【００２９】
なお、リクエストの集計をどのタイミングでリセットするかは任意であり、例えば番組開始時にリセットする方法や、あるいは近い時刻のリクエストほど係数を乗じ重くみる方法など様々な方法があり、本発明ではこれを限定しない。
【００３０】
図５は、前記のように、出力制御部１１１において、番組ａを放送する送信アンテナＡと、番組ｂを放送する送信アンテナＢの２つの送信アンテナのオン・オフを切り替える処理のフローチャートである。まず、リセット信号（Ｓ５０１）によってリクエスト数ａおよびｂが０にリセットされる（Ｓ５１１およびＳ５２１）。
【００３１】
この後はリクエスト受付状態となり、運営者からａあるいはｂのリクエストを受けたら（Ｓ５１３あるいはＳ５２３）、変数ａあるいはｂを１増加する（Ｓ５１５あるいはＳ５２７）。同様に、視聴者からａあるいはｂのリクエストを受けたら（Ｓ５１５あるいはＳ５２５）、変数ａあるいはｂを１増加する（Ｓ５１５あるいはＳ５２５）。
【００３２】
リクエスト数によって送信機のオン・オフが変動するため、通常はリセット直後（Ｓ５１１およびＳ５２１の直後）に遷移し、リクエスト信号の到来によってリアルタイムにａあるいはｂが増加されていく。
【００３３】
次に、リクエスト数の大小つまりａとｂの大小を比較し（Ｓ５３１）、ａがｂ以上であれば送信アンテナＡをオンにし送信アンテナＢをオフにする（Ｓ５３３）。または、ａがｂ未満であれば送信アンテナＡをオフにし送信アンテナＢをオンにする（Ｓ５３５）。
【００３４】
また、運営者は通常のリクエスト以外に、強制的に放送番組を決定することができる（Ｓ５４０）。この場合には、前記のように視聴者からリクエストが到来しても、運営者による強制制御を優先させる。
【００３５】
なお、前記のように、リセット（Ｓ５０１）のタイミングは番組開始時であったり、任意の一定時間間隔であったり、様々なタイミングが考えられるが、本発明ではこれを限定しない。また、運営者からのリクエスト数を視聴者からのリクエスト数の定数倍するなどの重み付けが考えられるが、リクエスト１票の重みの定義について、本発明ではこれを限定しない。
【００３６】
また、直近のリクエストを古いリクエストよりも重視する手段として、リクエストした時間から一定時間が過ぎたら該リクエストを忘却し、ａあるいはｂから１を減算するといった手段も考えられるが、このようなリクエストデータの時間推移に対する忘却に関しては、これを実施するかどうかも含めて、本発明ではこれを限定しない。
【００３７】
次に視聴者からの番組リクエスト方法について説明する。現在どういった番組が放送可能状態にあるかを知る手段としては前記のように、デジタル放送におけるデータ放送として文字情報で視聴者に知らせる方法や、狭域エリア放送であれば、表示板の設置や、あるいは、受信機に専用アプリケーションをインストールして、該アプリケーションが放送装置１０７あるいは番組制御装置１０３と通信することによって取得し表示する方法など、種々のものが考えられる。
【００３８】
視聴者はこれらの手段で番組一覧を閲覧し、複数の手段で運営者にリクエストを伝達する。
【００３９】
（視聴者リクエストの第一の手段）
デジタル放送におけるデータ放送を閲覧可能な場合には、該データ放送の番組リストにリンクされた一次リンクから、運営者にリクエストを伝達することができる。一般に、放送局の側からは、データ放送で提供できるデータ（データ放送コンテンツ）の情報量は限られるため、放送により提供される情報を通信で補うために、データ放送コンテンツの中からリンクされる情報が置かれるサーバとして１次リンクサーバと呼ばれるサーバを用意している。
【００４０】
１次リンクサーバでは、ＢＭＬで記述されたコンテンツを提供し、端末ではこのコンテンツをＢＭＬブラウザがデータ放送コンテンツと同様に取り扱う。視聴者はこのＢＭＬブラウザ上で対応箇所をクリックするなどによって、運営者側にリクエストを送信する。
【００４１】
（視聴者リクエストの第二の手段）
前記ＢＭＬサーバを用いた通信を一次リンクと呼ぶのに対して、Ｗｅｂサーバを用いる通信を二次リンクと呼ぶが、これを用いる。視聴者が受信端末上のＷｅｂアプリケーションから番組を指定する手段である。
【００４２】
（視聴者リクエストのその他の手段）
その他、放送が狭域エリア放送であれば、当該エリアの送信機近傍に放送番組の掲示板を設置し、当該掲示板によって番組リストを閲覧した後、併設されたリクエストボタンを押したり、直接運営者に電話をかけることも考えられる。
【００４３】
また、任意の無線通信によって、受信端末にインストールされたアプリケーションが放送装置と通信をし、番組リストの取得やリクエストの発行をする手段も考えられる。
【００４４】
一方、運営者は、前記視聴者によるリクエストと同手段を用いることが可能であるが、番組制御装置１０３や放送装置１０７を直接操作して番組を変更することができる。
【００４５】
以上説明したように、本発明によれば、一つの放送局から複数の番組を放送エリアに伝送し、運営者や視聴者の希望に沿いつつ、簡易な制御によって当該複数の番組の中から放送電波を送信すべき番組を選択できる。しかも本手段によれば、実際に放送する番組は１つの周波数を用いた１つの番組であるから、電波の干渉を防ぐことができる。
【符号の説明】
【００４６】
１０１…運営者、  １０３…番組制御装置、
１０５…任意のネットワーク、  １０７…放送装置、
１０９…受信部、  １１１…出力制御部、
１１３…アンテナ、  １１５…視聴者受信端末、
１１７…視聴者、
２０１…放送エリア、  ２０５…送信アンテナＡ、
２０７…送信アンテナＢ。
【図１】
2012165307.tif 000003
【図２】
2012165307.tif 000004
【図３】
2012165307.tif 000005
【図４】
2012165307.tif 000006
【図５】
2012165307.tif 000007